(57)【要約】      （修正有）【課題】閉鎖位置直前で引き戸の閉鎖速度を減速するようにした引戸用ランナー構造を提供する。【解決手段】引き戸の閉方向へ移動の際にロータリーダンパー３８を作動側に移動させるようにタイミングバー１５に誘導するテーパ部１５ａを備えた引き戸用ランナー構造であって、ダンパーリンク３６がテーパ部１５ａより開方向に位置する際は、ロータリーダンパー３８が非作動側に位置してロータリーダンパー３８とラック部材１４との関係が解除され、引き戸が閉方向に移動しダンパーリンク３６がテーパ部１５ａに到達すると、引き戸が閉方向に移動してダンパーリンク３６がテーパ部１５ａに沿って移動しロータリーダンパー３８がギヤ部材３２の回転を抑制し、引き戸１３を低速で閉鎖位置まで移動する。【選択図】図７
2014101669.tif 000002
【特許請求の範囲】
【請求項１】
引き戸の戸枠または戸板の一方の上縁または下縁に設けられたガイドレールに沿って長手方向に走行するガイドローラと、
前記戸枠または戸板の他方の上端または下端に固定され且つ前記ガイドローラに連結されるユニット部材と、
前記ガイドレールに並行して設けられたラック部材及びタイミングバーと、を有し、
前記ユニット部材は、
ケース部材と、
前記ケース部材を閉方向に付勢する付勢手段と、
前記ケース部材に対して移動可能な回転軸の周りに回転可能に支持され、前記回転軸が作動側に位置する状態では前記ラック部材に関係し、また前記回転軸が非作動側に位置する状態では前記ラック部材との関係が解除され、付勢部材によって作動側に付勢されるロータリーダンパーと、
一端が前記タイミングバーに当接し他端が前記ロータリーダンパーに連結されたリンク部材と、を有し、
前記タイミングバーは、
引き戸の閉方向への移動の際に前記ロータリーダンパーを作動側に移動させるように前記タイミングバーに誘導するテーパ部を備え、
前記リンク部材が前記テーパ部より開方向に位置する際には、前記ロータリーダンパーが非作動側に位置して、前記ロータリーダンパーと前記ラック部材との関係が解除され、
また引き戸が閉方向に移動して前記リンク部材が前記テーパ部に到達すると、前記リンク部材が前記テーパ部の誘導に従って動作して、前記ロータリーダンパーを作動側に移動させて、前記ロータリーダンパーが前記ラック部材に関係し、これにより引き戸の閉方向への移動に対して負荷がかかり、前記リンク部材が前記テーパ部より閉方向に位置する際には、前記ロータリーダンパーが作動側に位置して、引き戸の閉方向への移動に対して負荷がかかり続ける
ことを特徴とする、引戸用ランナー構造。
【請求項２】
前記テーパ部は、前記タイミングバーの引き戸閉側の端部に設けられることを特徴とする、請求項１に記載の引戸用ランナー構造。
【請求項３】
前記ユニット部材は、前記ケース部材に回転可能に支持され、前記ラック部材に噛合するギヤ部材を有し、
前記ロータリーダンパーは、ロータリーダンパー部と、このロータリーダンパー部と同軸に結合されたギヤ部と、を有し、
前記ロータリーダンパーが作動側に移動したとき、前記ギヤ部が前記ギヤ部材に噛合することによって、前記ロータリーダンパーが前記ラック部材に関係する、
ことを特徴とする、請求項１または２に記載の引戸用ランナー構造。
【請求項４】
前記リンク部材は、前記一端及び他端の間に位置する回転軸を介して前記ケース部材に揺動可能に支持されると共に、前記他端において前記ロータリーダンパーの回転軸に連結され、
前記ロータリーダンパーの回転軸は、前記ケース部材に設けられた長穴内に配置されていることを特徴とする、請求項１から３の何れかに記載の引戸用ランナー構造。
【請求項５】
前記付勢部材は、前記リンク部材と前記ケース部材との間に設けられた弾性部材であることを特徴とする、請求項１から４の何れかに記載の引戸用ランナー構造。
【発明の詳細な説明】
【技術分野】
【０００１】
本発明は、開口部に開閉可能に引き戸を支持し且つ閉鎖位置に付勢する引戸用ランナー構造に関し、特に自閉動作における閉鎖位置直前での引き戸の減速機能を備えた引戸用ランナー構造に関するものである。
【背景技術】
【０００２】
従来、住宅の各室間の出入り口等の開口部を開閉するために引き戸が使用されることがある。
このような引き戸は、例えば開口部の上縁に沿って設けられたガイドレールに沿って走行するガイドローラを含むランナー構造により支持される。
引き戸は、ガイドレールに沿ってガイドローラが走行して開口部の一側または両側に向かって移動することにより、開口部を開放し、または閉鎖する。
そして、引き戸の開閉時に、操作性を向上させるために、開放された引き戸を自動的に閉鎖位置に移動させる自閉手段を備えた自閉式引き戸が知られている。
このような自閉式引き戸は、例えばゼンマイを利用したり、あるいはガイドレールを閉鎖位置側で低くなるように傾斜して設置することにより、外部からエネルギーを供給することなく、引き戸の自閉を実現することができる。
【０００３】
このような自閉式引き戸においては、引き戸の閉鎖が自動的に行なわれる。従って、引き戸の自閉動作において、開放位置から引き戸が即時に閉鎖動作を開始すると、開口部を完全に通過していない状態で操作者が引き戸と衝突することがあり、また引き戸が同じ閉鎖速度で閉鎖位置まで達すると、引き戸が戸枠に当たってしまい、衝撃による騒音が発生すると共に、例えば不注意により戸枠と引き戸の間で指挟み等が発生し、思わぬ負傷をすることがある。
【０００４】
これに対して、引き戸を全開位置で停止させるようにした引き戸も既に知られている。
このような一時停止機能を備えた引き戸によれば、引き戸を全開することにより、引き戸が全開位置にロックされるので、人が開口部を通過する際に、引き戸を抑えておく必要がなく、安心してゆっくりと開口部を通過することが可能になる。
しかしながら、引き戸は全開位置でのみロックされるので、開放時に引き戸をロックさせたい場合には、常に引き戸を全開位置まで開放しなければならず、操作が煩雑になると共に、閉鎖時には、引き戸を一旦閉鎖方向に操作しなければ、自閉手段による引き戸の閉鎖が開始されない、という問題があった。
【０００５】
これに対して、特許文献１には、任意の開放位置で引き戸を停止させるようにした自閉式引き戸用ユニットが開示されている。
この自閉式引き戸用ユニットによれば、自閉手段の自閉力に抗して引き戸を開放操作して任意の開放位置で途中停止させると、自閉力が発生して途中停止位置にガイド部材が変移することにより、引き戸が途中位置に停止され、この途中停止が維持される。
【先行技術文献】
【特許文献】
【０００６】
【特許文献１】特開２００５−０５４４８３号公報
【発明の概要】
【発明が解決しようとする課題】
【０００７】
しかしながら、特許文献１による自閉式引き戸用ユニットにおいては、途中停止した引き戸は、その途中停止がそのまま維持されることになる。従って、引き戸を閉鎖する場合には、引き戸を一旦閉鎖方向に操作して、ガイド部材を途中停止位置からずらして、引き戸が自閉手段により閉鎖方向に移動し得るようにする必要があり、操作が煩雑になってしまう。
また、引き戸の閉鎖動作において、閉鎖位置に達するまで、同じ閉鎖速度で閉鎖動作が行なわれるので、閉鎖時の戸枠への衝突による衝撃や、指挟み等のおそれが解決されていない。
【０００８】
本発明は、以上の点に鑑み、簡単な構成により、引き戸の自閉動作において、閉鎖位置直前で引き戸の閉鎖速度を減速するようにした引戸用ランナー構造を提供することを目的としている。
【課題を解決するための手段】
【０００９】
上記目的は、本発明の構成によれば、引き戸の戸枠または戸板の一方の上縁または下縁に設けられたガイドレールに沿って長手方向に走行するガイドローラと、戸枠または戸板の他方の上端または下端に固定され且つガイドローラに連結されるユニット部材と、ガイドレールに並行して設けられたラック部材及びタイミングバーと、を有し、ユニット部材は、ケース部材と、ケース部材に対して移動可能な回転軸の周りに回転可能に支持され、回転軸が作動側に位置する状態ではラック部材に関係し、また回転軸が非作動側に位置する状態ではラック部材との関係が解除され、付勢部材によって作動側に付勢されるロータリーダンパーと、一端がタイミングバーに当接し他端がロータリーダンパーに連結されたリンク部材と、を有し、タイミングバーは、引き戸の閉方向への移動の際にロータリーダンパーを作動側に移動させるようにタイミングバーに誘導するテーパ部を備え、リンク部材がテーパ部より開方向に位置する際には、ロータリーダンパーが非作動側に位置して、ロータリーダンパーとラック部材との関係が解除され、また引き戸が閉方向に移動してリンク部材がテーパ部に到達すると、リンク部材がテーパ部の誘導に従って動作して、ロータリーダンパーを作動側に移動させて、ロータリーダンパーがラック部材に関係し、これにより引き戸の閉方向への移動に対して負荷がかかり、リンク部材がテーパ部より閉方向に位置する際には、ロータリーダンパーが作動側に位置して、引き戸の閉方向への移動に対して負荷がかかり続けることを特徴とする、引戸用ランナー構造により、達成される。
【００１０】
本発明による引戸用ランナー構造は、好ましくは、テーパ部が、タイミングバーの引き戸閉側の端部に設けられる。
【００１１】
本発明による引戸用ランナー構造は、好ましくは、ユニット部材が、ケース部材に回転可能に支持され、ラック部材に噛合するギヤ部材を有し、ロータリーダンパーは、ロータリーダンパー部と、このロータリーダンパー部と同軸に結合されたギヤ部と、を有し、ロータリーダンパーが作動側に移動したとき、ギヤ部がギヤ部材に噛合することによって、ロータリーダンパーがラック部材に関係する。
【００１２】
本発明による引戸用ランナー構造は、好ましくは、リンク部材が、一端及び他端の間に位置する回転軸を介してケース部材に揺動可能に支持されると共に、他端においてロータリーダンパーの回転軸に連結され、ロータリーダンパーの回転軸は、ケース部材に設けられた長穴内に配置されている。
【００１３】
本発明による引戸用ランナー構造は、好ましくは、付勢部材が、リンク部材とケース部材との間に設けられた弾性部材である。
【発明の効果】
【００１４】
上記構成によれば、引き戸の戸板は、戸枠に対して、その上部または下部において、ガイドローラがガイドレールに係合することにより、開閉可能に吊り下げられる。そして、引き戸は、付勢手段によってケース部材が閉方向に付勢されることによって、自動的に閉鎖位置に移動して停止し、開口部が自動的に閉鎖される。
【００１５】
ここで、引き戸が閉鎖位置に向かって移動する際には、引き戸が閉鎖位置に対して接近すると、リンク部材の一端がタイミングバーの閉側の端部からテーパ部を介して外れ、ロータリーダンパーが付勢部材により作動側に移動する。これにより、ロータリーダンパーがラック部材と関係して、ラック部材との相対運動を抑制することにより、引き戸の閉鎖速度が減速される。
【００１６】
これに対して、引き戸が閉鎖位置から開放されると、引き戸は開方向に移動し、開放動作の開始直後に、リンク部材の一端がタイミングバー閉側の端部に設けられたテーパ部に当接し、テーパ部の斜面に沿って誘導されることにより、リンク部材を介して、ロータリーダンパーが付勢部材の付勢力に抗して非作動側に移動する。これにより、ロータリーダンパーとラック部材との関係が解除される。従って、このときロータリーダンパーによる減速は行なわれず、引き戸はそのまま開方向に移動する。
【００１７】
即ち、引き戸が開放されるときは、ロータリーダンパーが非作動側に移動することにより、引き戸は容易に開放され得る。
これに対して、引き戸が閉鎖されるときは、引き戸は付勢手段により自動的に閉鎖すると共に、引き戸が閉鎖位置直前に達すると、リンク部材の一端がタイミングバーから外れることにより、ロータリーダンパーが作動側に移動する。これにより、ロータリーダンパーがラック部材と関係することになり、ロータリーダンパーの減衰作用によって、負荷がかかり、引き戸の閉鎖速度が減速され、引き戸は低速で閉鎖位置まで移動する。
ここで、引き戸の自閉動作中における減速開始のタイミングは、タイミングバーのガイドレールに対する設置位置によって任意に設定可能である。
【００１８】
このようにして、本発明によれば、簡単な構成により、引き戸の自閉動作において、閉鎖位置直前で引き戸の閉鎖速度を減速するようにした引戸用ランナー構造を提供することができる。
【図面の簡単な説明】
【００１９】
【図１】本発明による引戸用ランナー構造の一実施形態を組み込んだ自閉式引き戸の全体構成を示す概略斜視図である。
【図２】図１の引戸用ランナー構造におけるガイドレールを示す拡大平面図である。
【図３】図２のガイドレールを拡大して示す左側面図である。
【図４】図２のガイドレール内に設けられるラック及びタイミングバーの全体構成を示す正面図である。
【図５】図１の引戸用ランナー構造におけるガイドローラを示す拡大斜視図である。
【図６】図５のガイドローラを示す分解斜視図である。
【図７】図１の自閉式引き戸に組み込まれた引戸用ランナー構造の構成を示す一部破断正面図である。
【図８】図１の引戸用ランナー構造の左側面図である。
【図９】図１の引戸用ランナー構造を示す分解斜視図である。
【図１０】ダンパー作動時における図１の引戸用ランナー構造を示す一部破断正面図である。
【図１１】一時停止機能開始時における図１の引戸用ランナー構造のユニット部材を示す概略正面図である。
【図１２】一時停止機能作動時における図１の引戸用ランナー構造のユニット部材を示す概略正面図である。
【図１３】一時停止機能終了時における図１の引戸用ランナー構造のユニット部材を示す概略正面図である。
【図１４】上下方向の下限位置に調整された状態の図１の引戸用ランナー構造の内部を示す概略正面図である。
【図１５】上下方向の上限位置に調整された状態の図１の引戸用ランナー構造の内部を示す概略正面図である。
【図１６】図１の引戸用ランナー構造を使用して引き戸を戸枠に組み込む施工状態を示す概略斜視図である。
【図１７】図１６における施工状態を示す概略正面図である。
【発明を実施するための形態】
【００２０】
図１は、本発明による引戸用ランナー構造の一実施形態を引き戸に組み込んだ状態を示している。
図１において、引戸用ランナー構造１０は、建物等に設けられた開口部の戸枠１１の上縁に設けられたガイドレール１２に沿って長手方向（Ｘ方向）に引き戸（戸板）１３を移動可能に支持するように構成されており、ガイドレール１２に沿って走行するガイドローラ２０と、引き戸１３の上端に取り付けられ、ガイドローラ２０に連結されるユニット部材３０と、から構成されている。
【００２１】
ここで、ガイドレール１２は、図２及び図３に示すように、断面が中空の四角形として例えば長尺のアルミニウム材から構成されており、Ｚ方向下方が開放していると共に、図３に示すように、長手方向に垂直な横方向（Ｙ方向）の一側（図示の場合、後側）の下縁が内側に折り返されることにより、その先端が上方を向いたレール部１２ａを形成している。
ガイドレール１２は、図３に示すように、その内部の前側に沿って長手方向に延びるラック部材１４及びタイミングバー１５を備えている。
【００２２】
ラック部材１４は、図４に示すように、ガイドレール１２のほぼ全長に亘って配置されており、その下縁には所定ピッチのラック歯１４ａが形成されている。図示の場合、ラック部材１４は、その長さ方向に関して複数個に分割して形成され、端部が突き合わされることにより、連続的に配置されている。
ここで、ラック部材１４は、図３に示すように、上側に設けられた係合部１４ｂがガイドレール１２の上縁に設けられた係合溝１２ｂに係合することにより、ガイドレール１２に対して全長に亘って保持されている。これにより、ラック部材１４は、その全長に亘ってガイドレール１２に対して安定した状態で保持されることになる。
【００２３】
タイミングバー１５は、図４に示すように、ガイドレール１２の引き戸閉方向（Ｘ１方向）側の端部（図示の場合、左端）から所定距離Ｌだけ離れた位置から配置されていると共に、その左端付近の領域に、左端に向かって上向きに傾斜して形成されたテーパ部１５ａを備えている。図示の場合、タイミングバー１５は、その長さ方向に関して複数個に分割して形成されており、端部が突き合わされると共に、連結部１５ｂを介して連結されることにより、下面が連続した一つの面を画成している。タイミングバー１５の全体長さは、ガイドレール１２の全長の半分程度であり、所定距離Lを調整することにより、ブレーキのかかり位置を調整することができる。また、タイミングバー１５をガイドレール１２の引き戸開方向（Ｘ２方向）側の端部（図示の場合、右端）に完全に寄せた場合には、テーパ部１５ａがガイドレール１２の全長のほぼ中央に位置し、この場合においては、戸の閉方向への動きに対し常にブレーキがかかることとなる。この場合でも、タイミングバー１５は全長がガイドレール１２の引き戸開方向（Ｘ２方向）側の半分に収まるから、タイミングバー１５を切断する必要がない。
ここで、タイミングバー１５は、図３に示すように、上側に設けられた係合部１５ｃがラック部材１４に設けられた係合溝１４ｃに係合することにより、ラック部材１４そしてガイドレール１２に対して保持されている。これにより、タイミングバー１５は、その全長に亘ってラック部材１４を介してガイドレール１２に対して安定した状態で保持されることになる。
【００２４】
さらに、ラック部材１４の係合溝１４ｃとタイミングバー１５の係合部１５ｃとは、長手方向（Ｘ方向）に関してラッチ機構（図示せず）を備えており、タイミングバー１５がラック部材１４に対して長手方向（Ｘ方向）に位置調整され得る。
【００２５】
ガイドローラ２０は、図５及び図６に示すように、支軸ブロック体２１と、支軸ブロック体２１内でＸ方向及びＺ方向に移動可能に配置された支持部２２と、支持部２２に対して横向き（Ｙ方向）に延びる車軸２３に取り付けられた車輪２４を有している。
支軸ブロック体２１は、POM（ポリアセタール）等のプラスチック材料から成形され、上方が開放した中空のほぼ直方体状の外形を有しており、後述するように、ユニット部材３０に設けられた凹陥部内に着脱可能に取り付けられ、係止片２１ｃよりユニット部材３０に対して係合する。
【００２６】
支持部２２は、SPCC（圧延鋼板）またはZDC（亜鉛ダイキャスト）材料から成形され、支軸ブロック体２１の開放した上部から支軸ブロック体２１内に挿入されると共に、支軸ブロック体２１から上方に突出した部分に、車軸２３のための取付穴２２ａを有している。
さらに、支持部２２は、支軸ブロック体２１内に挿入された部分に、引き戸の閉側に向かって上方に延びる斜めスロット２２ｂを有している。
これに対して、支軸ブロック体２１の前側及び後ろ側の壁部には、長手方向に水平に延びるスロット２１ｂが形成されている。
そして、支軸ブロック体２１を前後に貫通するように延びるピン２５が、支持部２２の斜めスロット２２ｂ、支軸ブロック体２１の水平スロット２１ｂ及び補強板２６の水平スロット２６ｂに挿通され、ピン２５に穿設されたねじ孔には調整ネジ２１ａが螺合している。
このように、支持部２２は、支軸ブロック体２１内で、長手方向への移動に伴って、上下方向にも移動調整可能になっており、調整ネジ２１ａを正逆回転することにより、ピン２５が長穴である各スロット内を移動し、これに伴って支持部２２が支軸ブロック体２１内で上下動し、調整された位置で固定される。
【００２７】
尚、支軸ブロック体２１は、SPCC（圧延鋼板）等の金属材料から成る補強板２６により、前壁，右側壁及び後壁が補強されている。
また、支軸ブロック体２１は、図６に示すように、その下面に左方に延びる係止片２１ｃを備えており、ユニット部材３０の凹陥部内に挿入されたとき、この係止片２１ｃが凹陥部内に設けられた係止部（図示せず）に係合することにより、凹陥部内に係止されると共に、この係止片２１ｃの先端を押し上げることにより、係止部に対する係合が解除されるようになっている。
【００２８】
車輪２４は、支軸ブロック体２１の中心より後寄りに配置されており、ガイドレール１２の後寄りに設けられたレール部１２ａに乗ることにより、所謂片輪支持でレール部１２ａ上を転動する。
【００２９】
ユニット部材３０は、図７、図８及び図９に示すように、ケース部材３１，ギヤ部材３２及びベース部材３３を有している。
ケース部材３１は、図９に示すように、引き戸１３の上端に取り付けられる第一のケース部材３４と、この第一のケース部材３４に対してＹ方向に延びる回転中心軸３４ａの周りに揺動可能に支持された第二のケース部材３５と、第二のケース部材３５に取り付けられたダンパーリンク３６と、を有している。
【００３０】
第一のケース部材３４は、二つの部分即ち第一の部分３４ｂ及び第二の部分３４ｃと、ガイド部材３４ｄと、から構成されている。
第一の部分３４ｂは、ガイドローラ２０の支軸ブロック体２１を受容する凹陥部３４ｅを備えている。
第二の部分３４ｃは、底部及び長手方向両側に位置する両側壁を有しており、これら両側壁により画成される空間内に、第二のケース部材３５を受容する。
【００３１】
ここで、第二の部分３４ｃは、その引き戸閉方向Ｘ１の端部付近において回転中心軸３４ａの周りに揺動して、その反対側が上下方向（Ｚ方向）に移動可能に支持されている。
そして、第一の部分３４ｂと第二の部分３４ｃとは、互いに組み合わされ、固定されることにより、一体の第一のケース部材３４として構成される。
【００３２】
また、ガイド部材３４ｄは、第二の部分３４ｃから引き戸開側に張り出す両側壁を有しており、この両側壁が、第二のケース部材３５を両側から挟持して、第二のケース部材３５の揺動時にガイドとして作用する。
このガイド部材３４ｄも、第一の部分３４ｂ及び第二の部分３４ｃに対して第一のケース部材３４として一体化される。
【００３３】
第二のケース部材３５は、同様に底部及び両側壁を有しており、これら両側壁の間に、ギヤ部材３２，ベース部材３３及びダンパーリンク３６を受容する。
ここで、第二のケース部材３５は、その引き戸閉方向Ｘ１の端部下方に設けられた当接部３５ａと第一のケース部材３４との間に設けられた圧縮バネ３７により、引き戸開方向Ｘ２に向かって付勢されている。これにより、第二のケース部材３５が回転中心軸３４ａの周りに揺動して、第二のケース部材３５全体がＺ方向上方に向かって付勢される。
【００３４】
ダンパーリンク３６は、第一のケース部材３４の回転中心軸３４ａの周りに揺動可能に支持されており、その一方のアーム部３６ａが、タイミングバー１５の下面に当接し得るように上方に向かって引き戸開方向Ｘ２に斜めに突出し、また他方のアーム部３６ｂが、台座部３８ｄを介してロータリーダンパー３８の回転軸を支持している。
さらに、ダンパーリンク３６は、付勢バネ３６ｃによって、他方のアーム部３６ｂが引き戸開方向Ｘ２に向かって付勢され、これにより図７において左旋回性を付与されている。
尚、ユニット部材３０が引き戸開方向Ｘ２に移動する際には、ダンパーリンク３６の一方のアーム部３６ａは、タイミングバー１５のテーパ部１５ａに沿って摺動することにより、円滑にタイミングバー１５の下面に誘導され、タイミングバー１５の下面に当接することになる。
【００３５】
ロータリーダンパー３８は、ダンパー部３８ａと、ダンパー部３８ａと同軸に且つ一体化されたギヤ部３８ｂと、を有している。
ダンパー部３８ａは、ギヤ部３８ｂの回転を抑制するように作用する。
ここで、ダンパーリンク３６の一方のアーム部３６ａがタイミングバー１５の下面に当接しているときには、図７に示すように、ギヤ部３８ｂは、ギヤ部材３２とは噛合せず、またアーム部３６ａがタイミングバー１５の設けられていない部分に位置する場合には、ダンパーリンク３６が付勢バネ３６ｃによって付勢されることにより、図１０に示すように、ギヤ部３８ｂは、ギヤ部材３２と噛合する。
尚、ロータリーダンパー３８の回転軸３８ｃは、第一のケース部材３４の第二の部分３４ｃの両側壁に設けられた円弧状のスロット３４ｆ内に配置されていることにより、ダンパーリンク３６の揺動に伴って、円滑に移動されるようになっている。
【００３６】
ギヤ部材３２は、第二のケース部材３５の長手方向中央付近の上部において、Ｙ方向に延びる軸体３２ａの周りに回転可能に支持されており、その歯３２ｂが、ガイドレール１２に取り付けられたラック部材１４のラック歯１４ａと噛合し、ユニット部材３０の長手方向（Ｘ方向）の移動に伴って、ギヤ部材３２が回転する。
【００３７】
ギヤ部材３２は、第二のケース部材３５が圧縮バネ３７の作用によってＺ方向上方に付勢されていることにより、ガイドレール１２のラック部材１４に対して押圧される。これにより、ギヤ部材３２は、ラック部材１４に歪み，組み付け誤差等による位置ずれがあったとしても、常に確実にラック部材１４のラック歯１４ａと噛合することになる。
【００３８】
さらに、ギヤ部材３２には、一体にゼンマイケース３２ｃが取り付けられている。ゼンマイケース３２ｃ内には、ゼンマイ（渦巻ばね；図示せず）が内蔵されており、引き戸が引き戸開方向Ｘ２に移動されて、ラック部材１４に沿ってギヤ部材３２が回転移動することにより、ギヤ部材３２の回転によりゼンマイが巻き上げられ、このゼンマイの復元力によってギヤ部材３２が逆回転されることにより、引き戸が自動的に引き戸閉方向Ｘ１に移動する。
ここで、ゼンマイケース３２ｃは、外形が軸体３２ａを中心とする偏平な円筒状に形成されている。
【００３９】
尚、ギヤ部材３２の軸体３２ａは、ギヤ部材３２に固定されていると共に、第二のケース部材３５の両側壁に対して軸受されている。そして、軸体３２ａは、その軸中央付近が正多角形、例えば正六角形の断面形状を有しており、クリップ部材３２ｄにより挟持されている。
これにより、軸体３２ａは、クリップ部材３２ｄの挟持力によって、前述したゼンマイの復元力のみによっては、空転しないようになっている。
【００４０】
ベース部材３３は、図１１に示すように、ギヤ部材３２に一体化されたゼンマイケース３２ｃの下側部分に沿うように円弧状に形成されていると共に、その引き戸閉方向Ｘ１側の端部が、Ｙ方向に延びる回転中心軸３３ａの周りに揺動可能に支持されている。
また、ベース部材３３の引き戸開方向Ｘ２側の端部は、ダンパー３９によって、上方に向かって付勢されている。
尚、ダンパー３９の付勢力は、後述するフリーローラ４０に付与する負荷がゼンマイの復元力より小さく選定されている。
【００４１】
ゼンマイケース３２ｃとベース部材３３との間には、フリーローラ４０が配置されている。
フリーローラ４０は、ギヤ部材３２そしてゼンマイケース３２ｃの回転に伴って、ゼンマイケース３２ｃとベース部材３３との間の間隙内を転動する。その際、ベース部材３３がダンパー３９によってゼンマイケース３２ｃに接近する方向に付勢されているので、フリーローラ４０は、転動の際に所定の摩擦による負荷を受けることになる。
ベース部材３３の引き戸開方向Ｘ２側の端部寄りの領域には、一対の規制ローラ３３ｂ，３３ｃが設けられている。これらの規制ローラ３３ｂ，３３ｃは、それぞれＹ方向に延びる横向きの回転軸３３ｄ，３３ｅにより、ベース部材３３に対して回転可能に枢支されている。
ここで、開側の規制ローラ３３ｂは、ベース部材３３の引き戸開側の端部付近に配置されており、閉側の規制ローラ３３ｃは、開側の規制ローラ３３ｂより回転中心軸３３ａ寄りに配置されている。
尚、ベース部材３３は、ゼンマイケース３２ｃに対向する湾曲面が、開側の規制ローラ３３ｂから閉側の規制ローラ３３ｃに向かって、ゼンマイケース３２ｃに対する距離が徐々に小さくなるようにテーパ状に形成されている。
【００４２】
これにより、引き戸の引き戸開方向Ｘ２への移動の際には、ギヤ部材３２が図７において左回転して、ゼンマイが巻き上げられると共に、ゼンマイケース３２ｃの左回転に伴って、フリーローラ４０が、ダンパー３９の付勢力に抗してベース部材３３を右旋させて、ベース部材３３とゼンマイケース３２ｃとの間の間隙を押し広げながら、ベース部材３３とゼンマイケース３２ｃの間を開側の規制ローラ３３ｂに向かって転動する。
そして、図１１に示すように、フリーローラ４０が開側の規制ローラ３３ｂに乗り上げると、この開側の規制ローラ３３ｂが自由に回転可能であることから、フリーローラ４０が空転することになり、ギヤ部材３２も自由に回転し得る。
【００４３】
この状態から、引き戸の開方向への移動が停止すると、ゼンマイケース３２ｃ内に収容されたゼンマイの復元力によって、ギヤ部材３２が右回転し、これに伴って、フリーローラ４０が、図１２に示すように、ゼンマイケース３２ｃとベース部材３３との間を閉側の規制ローラ３３ｃに向かって転動する。
その際、フリーローラ４０は、ダンパー３９の付勢力によって、ゼンマイケース３２ｃとベース部材３３との間に挟持されていることによって、負荷を加えられるので、転動が抑制され、低速で回転することになる。
ここで、ダンパー３９の付勢力を適宜に調整して、フリーローラ４０そしてゼンマイケース３２ｃ，ギヤ部材３２の回転速度、そしてゼンマイの復元力による引き戸の閉方向への移動速度を設定することにより、フリーローラ４０が開側の規制ローラ３３ｂから閉側の規制ローラ３３ｃまで移動する間の所要時間を任意に設定することができる。
【００４４】
そして、図１３に示すように、フリーローラ４０が転動して閉側の規制ローラ３３ｃに乗り上げると、この閉側の規制ローラ３３ｃが自由に回転可能であることから、フリーローラ４０が空転し、ギヤ部材３２も自由に回転し得る。
このようにして、引き戸の開閉に伴って、フリーローラ４０は、規制ローラ３３ｂ，３３ｃの間を転動することになる。
【００４５】
本発明による引戸用ランナー構造１０は、以上のように構成されており、以下のように動作する。
まず、引き戸１３が閉鎖状態にある場合には、図１０に示すように、ユニット部材３０のダンパーリンク３６の一方のアーム部３６ａは、タイミングバー１５の引き戸閉側に位置しているので、付勢バネ３６ｃの張力によって右回転されて、ロータリーダンパー３８のギヤ部３８ｂがギヤ部材３２に噛合している。
このとき、フリーローラ４０は、図１３に示すように、閉側の規制ローラ３３ｃに乗り上げていることにより、空転する。
【００４６】
このような閉鎖状態から、操作者が引き戸１３を引き戸開方向Ｘ２に移動すると、引き戸１３の開放移動に伴って、ラック部材１４に噛合するギヤ部材３２が左回転する。このとき、ギヤ部材３２の回転に伴って、ゼンマイケース３２ｃ内のゼンマイが巻き上げられると共に、フリーローラ４０がゼンマイケース３２ｃとベース部材３３との間を開側に向かって転動する。
そして、さらなるギヤ部材３２の回転により、フリーローラ４０が開側の規制ローラ３３ｂに乗り上げると、フリーローラ４０は空転する。
また、ダンパーリンク３６の一方のアーム部３６ａがタイミングバー１５のテーパ部１５ａに達すると、ダンパーリンク３６の一方のアーム部３６ａは、テーパ部１５ａに従って押し下げられ、付勢バネ３６ｃの張力に抗して右回転する。これにより、ロータリーダンパー３８のギヤ部３８ｂがギヤ部材３２から離反する。
このようにして、引き戸１３が開放される。
【００４７】
ここで、操作者が引き戸１３の開方向への移動を停止して手を離すと、ゼンマイケース３２ｃ内のゼンマイの復元力によって、ギヤ部材３２が右回転しようとするが、その際、フリーローラ４０がゼンマイケース３２ｃとベース部材３３との間で、ダンパー３９の付勢による摩擦力によって負荷を受けることによって、ゆっくりと閉側の規制ローラ３３ｃに向かって転動する。
このとき、ギヤ部材３２の回転による引き戸１３の閉側への移動速度は、きわめてゆっくりであるので、見かけ上、一時停止しているように観察される。
【００４８】
所定時間後にフリーローラ４０が閉側の規制ローラ３３ｃに乗り上げると、フリーローラ４０が空転する。これにより、ギヤ部材３２は、フリーローラ４０による負荷を受けなくなるので、ゼンマイの復元力によって高速で回転し、引き戸１３が閉方向に高速で移動する。
その後、引き戸１３が閉鎖位置に近づいて、ダンパーリンク３６の一方のアーム部３６ａがタイミングバー１５の閉側の端部付近に達して、テーパ部１５ａに沿って移動すると、ダンパーリンク３６は、付勢バネ３６ｃの張力に基づいて旋回するので、図１０に示すように、ロータリーダンパー３８のギヤ部３８ｂがギヤ部材３２に噛合する。
このとき、ロータリーダンパー３８のダンパー部３８ａがギヤ部材３２の回転を抑制する。従って、ギヤ部材３２は、ゼンマイの復元力により回転し、その際ゆっくりと回転することになる。これにより、引き戸１３は、ゆっくりと低速で閉鎖位置まで移動することになる。
【００４９】
このようにして、引き戸１３の開放時には、開放開始と共にフリーローラ４０が閉側の規制ローラ３３ｃに乗り上げた位置から開側の規制ローラ３３ｂに乗り上げる位置まで転動する。ここで、引き戸１３が途中の任意位置まで開放された場合でも、フリーローラ４０は確実に開側の規制ローラ３３ｂに乗り上げることになる。
そして、引き戸１３が開放停止されたとき、フリーローラ４０がゼンマイケース３２ｃとベース部材３３との間もゆっくりと転動することにより、ギヤ部材３２も低速で回転するので、引き戸１３は、見かけ上、開放停止位置で一時停止しているように観察される。
従って、操作者は、引き戸１３を全開しなくても、引き戸１３を任意の途中開放位置まで開放して、引き戸１３から手を離しても、引き戸１３は、その途中の開放位置で見かけ上一時停止するので、操作者は、引き戸１３を押さえずに、両手を自由に使用しながら引き戸１３が設置された開口部をゆっくりと通過することができる。
【００５０】
その後、所定時間が経過して、フリーローラ４０が閉側の規制ローラ３３ｃに乗り上げると、フリーローラ４０が空転する。これにより、ギヤ部材３２は、ゼンマイの復元力により高速で回転するので、引き戸１３は、自動的に即ち操作者が何ら操作をすることなく、ガイドレール１２に沿って高速で閉方向に移動する。
そして、引き戸１３が閉鎖位置に近づくと、ダンパーリンク３６の一方のアーム部３６ａがタイミングバー１５からテーパ部１５ａを通って外れるので、ダンパーリンク３６が回転して、ロータリーダンパー３８のギヤ部３８ｂがギヤ部材３２に噛合して、ギヤ部材３２の回転を制動する。従って、ギヤ部材３２はゆっくりと回転し、引き戸１３に負荷がかかることによって低速で閉鎖位置まで移動する。これにより、引き戸１３が閉鎖する最終段階で低速になるので、引き戸１３の閉鎖時における指挟み等が発生したとしても、引き戸１３による衝撃が小さくなる。
【００５１】
ここで、戸枠１１が設置される開口部の建付精度によっては、引き戸１３を戸枠１１に取り付けた場合に、引き戸１３の上縁と戸枠１１の下縁との間の間隙が変動することがある。
前述したように、ユニット部材３０を構成するケース部材３１が、第一のケース部材３４と第二のケース部材３５とから構成されていて、第二のケース部材３５が第一のケース部材３４に対して揺動可能に支持されることにより、第二のケース部材３５が上下方向に調整可能である。
これにより、第二のケース部材３５が圧縮バネ３７の張力に基づいて上方に付勢されているので、ギヤ部材３２が常にラック部材１４と噛合する。
【００５２】
図１４は、第二のケース部材３５の上下方向の上限位置を示している。
図１４において、第二のケース部材３５は、第一のケース部材３４に対して、回転中心軸３４ａの周りに揺動して、全体が上方に移動して、その上限位置に位置しており、第一のケース部材３４の上縁とガイドレール１２の下端との間の間隔は、Ｄ１である。
このとき、第二のケース部材３５に支持されたギヤ部材３２は、第二のケース部材３５と共に上方に移動することによって、ラック部材１４と確実に噛合している。
尚、ダンパーリンク３６は、その一方のアーム部３６ａが大きく上方に揺動した状態にあり、ロータリーダンパー３８の回転軸３８ｃは、第一のケース部材３４のスロット３４ｆの一端付近に位置する。スロット３４ｆは、第一のケース部材３４の揺動を規制するものではなく、逃げが生じるよう設計されている。この状態で、ロータリーダンパー３８のギヤ部３８ｂは、ギヤ部材３２に噛合している。
【００５３】
また、図１５は、第二のケース部材３５の上下方向の下限位置を示している。
図１５において、第二のケース部材３５は、第一のケース部材３４に対して、回転中心軸３４ａの周りに揺動して、全体が下方に移動して、その下限位置に位置しており、第一のケース部材３４の上縁とガイドレール１２の下端との間の間隔は、Ｄ２である。
このとき、第二のケース部材３５に支持されたギヤ部材３２は、第二のケース部材３５と共に下方に移動することによって、ラック部材１４と確実に噛合している。
この場合も、ロータリーダンパー３８のギヤ部３８ｂは、ギヤ部材３２と噛合している。
【００５４】
このようにして、第二のケース部材３５の第一のケース部材３４に対する上下方向の揺動によって、第一のケース部材３４の上縁とガイドレール１２の下端との間の間隔は、Ｄ１からＤ２の間で調整されるので、開口部の建付精度が低くても、適正に引き戸１３を設置することが可能である。
【００５５】
このような第二のケース部材３５の上下方向の移動調整に関連して、ガイドレール１２及びラック部材１４が歪み等により長手方向に関して真っ直ぐに配置されていない場合であっても、引戸１３のガイドレール１２に沿う移動に伴って、第二のケース部材３５が上下方向に移動することによって、ギヤ部材３２は、ラック部材１４の歪み等に追従してラック部材１４と噛合する。これにより、ギヤ部材３２は、常にラック部材１４と噛合し、安定した動作が確保され得る。
従って、従来は、ガイドローラの車輪の位置を上下方向に調整することによって、引戸の高さ調整をしており、このようなガイドレール１２等の歪みに対応することは不可能であったが、本発明実施形態による引戸用ランナー構造１０によれば、第二のケース部材３５の上下方向の移動調整によって、ラック部材１４の歪み等に対して、十分に対応することが可能となる。
【００５６】
また、このように第二のケースが上下方向に移動調整されることによって、ダンパーリンク３６もタイミングバー１５に対して上下方向に移動することになるが、ダンパーリンク３６の一方のアーム部３６ａが大きく上方に揺動したときでも、ロータリーダンパー３８のギヤ部３８ｂはギヤ部材３２に噛合しない。
従って、ダンパーリンク３６とタイミングバー１５による引き戸１３の閉鎖時における閉鎖位置直前の減速は、このような第二のケース部材３５の揺動による影響を受けることがなく、引き戸１３の閉鎖の際には、引き戸１３が閉鎖位置直前に達したとき、適宜のタイミングで引き戸１３の閉鎖速度が確実に減速され得る。
尚、第二のケースの上下方向の移動調整により、ダンパーリンク３６とタイミングバー１５のテーパ部１５ａとの長手方向に関する当接位置が僅かに変動するが、この当接位置は、タイミングバー１５を長手方向に移動調整することにより、所定の長手方向位置に正確に調整することも可能である。
【００５７】
次に、図１６及び図１７において、本発明による引戸用ランナー構造１０を利用して、引き戸１３を戸枠１１に設置する手順を説明する。
まず、ラック部材１４及びタイミングバー１５を組み付けたガイドレール１２を戸枠１１の上縁の下面に対して取り付ける。また、引き戸１３の上端には、閉方向端部に隣接して、ユニット部材３０を取り付ける。
続いて、ガイドローラ２０を戸枠１１側のガイドレール１２に装着する。この場合、ガイドローラ２０を、その車輪２４が上向きになるように傾斜させて、車輪２４をガイドレール１２の開放した下端から内部に挿入し、車輪２４の下端をガイドレール１２のレール部１２ａに乗せる。そして、ガイドローラ２０全体を直立させることにより、ガイドローラ２０がガイドレール１２に装着される。
【００５８】
その後、引戸１３の上端を戸枠１１の下縁に対向するように開口部内に位置させ、ガイドローラ２０をＸ方向に移動させながら、引戸１３に取り付けられたユニット部材３０の第一のケース部材３４の凹陥部３４ｅ内に挿入する。
ここで、ガイドローラ２０を凹陥部３４ｅ内に完全に挿入すると、係合ロック部材２１ｃが凹陥部３４ｅ内の係止部と係合して、ガイドローラ２０が凹陥部３４ｅ内に係止される。
【００５９】
引戸を１３を戸枠１１から取り外す場合には、係合ロック部材２１ｃを操作して、係止を解除することにより、ガイドローラ２０が容易にユニット部材３０から取り外される。
このようにして、本発明による引戸用ランナー構造１０によれば、引戸１３が戸枠１１に対して容易に着脱可能に設置され得る。
【００６０】
本発明はその趣旨を逸脱しない範囲において様々な形態で実施することができる。
例えば、上述した実施形態においては、ベース部材３３はダンパー３９によって上方に向かって付勢されているが、これに限らず、圧縮バネ等の弾性部材によって上方に向かって付勢されていてもよい。
上述した実施形態においては、引き戸１３は、ギヤ部材３２に組み込まれたゼンマイの復元力によって、閉方向に付勢されているが、これに限らず、引き戸１３は、他の付勢手段によって閉方向に付勢されていてもよい。
例えば、付勢手段として、ガイドレール１２が閉方向に向かって低くなるように傾斜して配置されていてもよい。これにより、ガイドレール１２にガイドローラ２０により吊り下げられて支持された引き戸１３は、引き戸１３の自重に基づいて、傾斜したガイドレール１２により生ずる閉方向への分力によって、常に閉方向への付勢力を受けることになる。
【００６１】
上述した実施形態においては、タイミングバー１５は、その閉側の端部にテーパ部１５ａを備えているが、これに限らず、開側の端部にテーパ部を備えていてもよい。これにより、ダンパーリンク３６の一方のアーム部３６ａがタイミングバー１５に当接しているときに、ロータリーダンパー３８のギヤ部３８ｂがギヤ部材３２と噛合するようにすれば、同様に引き戸１３の閉鎖時に、引き戸１３が閉鎖位置直前に達したとき、ギヤ部材３２がロータリーダンパー３８の作用によって減速される。しかし、この場合においては、タイミングバー１５の位置を調整する際に、タイミングバー１５の閉側の端部を戸枠１１に合わせて切断しなければならず、その後タイミングバー１５を少し開側にずらすといった調整が困難である。この点において、上述した実施形態のようにタイミングバー１５の閉側の端部にテーパ部１５ａを備えている場合は、どのような位置で戸の閉側への移動に負荷をかけたい場合であっても、タイミングバー１５を切断する必要がなく、メンテナンス性に優れる。
上述した実施形態においては、ダンパーリンク３６は、付勢バネ３６ｃによって、ロータリーダンパー３８のギヤ部３８ｂをギヤ部材３２に噛合させるように、付勢されているが、これに限らず、ロータリーダンパー３８の回転軸３８ｃが直接に付勢部材により、作動側に付勢されていてもよい。
【００６２】
上述した実施形態においては、ロータリーダンパー３８がギヤ部３８ｂ，ギヤ部材３２を介してラック部材１４に関係し、引き戸１３の閉鎖速度を低減させるように構成されているが、これに限らず、ロータリーダンパー３８が直接にラック部材１４に関係して、ラック部材１４に対するケース部材３１またはユニット部材３０の制動を行なうようにしてもよい。
上述した実施形態においては、ロータリーダンパー３８の回転軸３８ｃは、ダンパーリンク３６のアーム部３６ｂに台座部３６ｄを介して連結されているが、これに限らず、回転軸３８ｃがダンパーリンク３６と連結されていないが摺動または揺動可能であってアーム部３６ｂにより作動側及び非作動側に押動されるように構成されていてもよい。
【００６３】
また、上述した実施形態においては、戸枠１１の上縁にガイドレール，ラック部材及びタイミングバーが取り付けられて、引き戸１３の上端にガイドローラ及びユニット部材が取り付けられているが、これに限らず、戸枠１１の下縁にガイドレール，ラック部材及びタイミングバーが取り付けられて、引き戸１３の下端にガイドローラ及びユニット部材が取り付けられていてもよい。
さらに、上述した実施形態においては、戸枠側にガイドレール，ラック部材及びタイミングバーが取り付けられ、引き戸側にガイドローラ及びユニット部材が取り付けられているが、これに限らず、引き戸側にガイドレール，ラック部材及びタイミングバーが取り付けられ、戸枠側にガイドローラ及びユニット部材が取り付けられていてもよい。
【００６４】
以上述べたように、本発明によれば、簡単な構成により、任意の開放位置で所定時間の間だけ引き戸を実質的に一時停止させ、その後に引き戸を自動的に閉鎖することができるようにした、極めて優れた引戸用ランナー構造が提供される。
【符号の説明】
【００６５】
１０    引戸用ランナー構造
１１    戸枠
１２    ガイドレール
１３    引き戸（戸板）
１４    ラック部材
１５    タイミングバー
２０    ガイドローラ
２１    支軸ブロック体
２２    支持部
２３    車軸
２４    車輪
３０    ユニット部材
３１    ケース部材
３２    ギヤ部材
３２ａ  軸体
３２ｂ  歯
３２ｃ  ゼンマイケース
３２ｄ  クリップ部材
３３    ベース部材
３３ａ  回転中心軸
３３ｂ  第一の規制ローラ
３３ｃ  第二の規制ローラ
３４    第一のケース部材
３５    第二のケース部材
３６    ダンパーリンク
３６ａ，３６ｂ  アーム部
３６ｃ  付勢バネ
３７    圧縮バネ
３８    ロータリーダンパー
３８ａ  ダンパー部
３８ｂ  ギヤ部
３９    ダンパー
４０    フリーローラ
【図１】
2014101669.tif 000003
【図２】
2014101669.tif 000004
【図３】
2014101669.tif 000005
【図４】
2014101669.tif 000006
【図５】
2014101669.tif 000007
【図６】
2014101669.tif 000008
【図７】
2014101669.tif 000009
【図８】
2014101669.tif 000010
【図９】
2014101669.tif 000011
【図１０】
2014101669.tif 000012
【図１１】
2014101669.tif 000013
【図１２】
2014101669.tif 000014
【図１３】
2014101669.tif 000015
【図１４】
2014101669.tif 000016
【図１５】
2014101669.tif 000017
【図１６】
2014101669.tif 000018
【図１７】
2014101669.tif 000019